(57)【要約】【課題】触点を有することなく切れ味を良好に維持し、軽快な鋏捌きが得られる理髪用鋏の枢軸構造を提供する。【解決手段】枢軸１３により回転自在に軸着される第１の刃体１１と第２の刃体１２は、内側の枢軸１３の周りの対向面に凹溝１５及び１６を形成している。鍔１７ａ付きのブッシュ１７が前記枢軸１３に回転自在に嵌挿されると共に、鍔部１７ａが第１の刃体１１の凹溝１５に装着されている。枢軸１３の指環部側における第１の刃体１１には調節ネジ２２が捩じ込まれ、その先端が鍔部１７ａに押し当った状態で捩じ込むと、第１の刃体１１は指環部側が第２の刃体１２の指環部側より浮き上がり、かつ刃先側が第２の刃体１２の刃先側に閉じて刃先同士が押付けられるようになっており、その押付け力は調節ネジ２２の捩じ込み操作によって調整される。【選択図】図２
2012130493.tif 000002
【特許請求の範囲】
【請求項１】
指環部を備えた第１及び第２の刃体を基部において枢軸により回動自在に軸着した理髪用鋏の上記枢軸を含む枢軸構造であって、前記第１及び第２の刃体の枢軸の周りの対向面にそれぞれ形成される凹溝と、鍔部を備えて前記枢軸に回転自在に嵌挿され、前記鍔部を前記第１の刃体の凹溝に装着するブッシュと、インナーレースを前記ブッシュに、アウターレースを前記第２の刃体の凹溝にそれぞれ密嵌させた転がり軸受と、前記枢軸より指環部側において前記第１の刃体に捩じ込まれ、先端が前記ブッシュの鍔に押し当てられる調節ネジとよりなり、該調節ネジの捩じ込み操作により第１の刃体が枢軸より指環部側において持上げられ、対向する第２の刃体との間に隙間を生ずる一方、枢軸より刃先側が閉じて刃先同士が互いに押し付けられることを特徴とする理髪用鋏の枢軸構造。
【請求項２】
前記鍔部が指環部側に長く形成され、該部の指環部寄りに前記調節ネジの先端が当てられることを特徴とする請求項１記載の理髪用鋏の枢軸構造。
【発明の詳細な説明】
【技術分野】
【０００１】
本発明は、理容院や美容院で用いられる理髪用鋏の枢軸構造に関する。
【背景技術】
【０００２】
図１は、理髪用鋏を示すもので、一般に指環部１、２を備えた刃体３、４を基部において枢軸５により回動自在に軸着し、枢軸端でナット６により止着した構成を有しており、枢軸５と指環部１、２との間の基部内面には触点を形成し、枢軸５を支点とし、触点に沿った鋏の開閉操作により両刃体３、４の刃先が互いに押し付けられるように刃を密着させて頭髪の切断を行うようになっており、その一例が特許文献１に開示されている。
【先行技術文献】
【特許文献】
【０００３】
【特許文献１】特開２００６−１８７４６８
【発明の概要】
【発明が解決しようとする課題】
【０００４】
触点は、基部内面に枢軸の周りに弧状に形成され、触点同士が接触して摺接することにより刃先が互いに押し付けられた状態で開閉し、切れ味を良好に維持できるようにしているが、触点同士の接触は面接触状態で行われるため、触点の摩擦係数は低くても鋏の開閉操作には摩擦抵抗を伴う。
【０００５】
本発明は、触点を有しないで軽快な鋏捌きが得られるようにし、しかも触点がなくても良好な切れ味を維持できるような理髪用鋏の枢軸構造を提供することを目的とする。
【課題を解決するための手段】
【０００６】
請求項１に係わる発明は、指環部を備えた第１及び第２の刃体を基部において枢軸により回動自在に軸着した理髪用鋏の上記枢軸を含む枢軸構造であって、前記第１及び第２の刃体の枢軸の周りの対向面にそれぞれ形成される凹溝と、鍔部を備えて前記枢軸に回転自在に嵌挿され、前記鍔部を前記第１の刃体の凹溝に装着するブッシュと、インナーレースを前記ブッシュに、アウターレースを前記第２の刃体の凹溝にそれぞれ密嵌させた転がり軸受と、前記枢軸より指環部側において前記第１の刃体に捩じ込まれ、先端が前記ブッシュの鍔に押し当てられる調節ネジとよりなり、該調節ネジの捩じ込み操作により第１の刃体が枢軸より指環部側において持上げられ、対向する第２の刃体との間に隙間を生ずる一方、枢軸より刃先側が閉じて刃先同士が互いに押し付けられることを特徴とし、
請求項２に係わる発明は、請求項１に係わる発明において、前記鍔部が指環部側に長く形成され、該部の指環部寄りに前記調節ネジの先端が当てられることを特徴とする。
【発明の効果】
【０００７】
請求項１に係わる発明によると、枢軸に軸支される第１の刃体が調節ネジの捩じ込みによって枢軸より指環部側において持上げられ、第2の刃体との間に隙間が形成されることにより、従来のこの種理髪用鋏のような互いに接触する触点がなくなり、軽快な鋏捌きを行うことができること、調節ネジの捩じ込みにより枢軸より刃先側が閉じ、互いに接触する触点がなくても第１の刃体の刃先が第２の刃体の刃先に押付けられるようになり、良好な切れ味をもたらすこと、調節ネジの捩じ込みを調整することにより刃先同士の押付け力を調整し、押付力の調整具合により軽快な鋏捌きで良好な切れ味に維持できること等の効果を有する。
【０００８】
請求項２に係わる発明によると、鍔部を指環部側に長く形成することによりブッシュが回り止めされた状態で第１の刃体に取付けられるようになり、また枢軸の中心から調節ネジまでの距離を大きくし、枢軸中心から調節ネジによる力点までの長さを長くすることで、調節ネジの捩じ込み量の僅かな調整で、力点での作用力が小さくても、てこの作用により刃先同士の押付け力を大きく変えることができる。
【図面の簡単な説明】
【０００９】
【図１】理髪用鋏の平面図。
【図２】本発明に係わる理髪用鋏の枢軸構造の断面図。
【図３】鍔部の別の態様の平面図。
【図４】図３に示す鍔部を備えたブッシュを組込んだ枢軸構造の断面図。
【発明を実施するための形態】
【００１０】
以下、本発明の実施形態の理髪用鋏の枢軸構造について図面により説明する。
図２は、一端に図示しない指環部を備えた第１の刃体１１及び第２の刃体１２の枢軸構造を示すもので、両刃体１１及び１２は枢軸１３の頭部１３ａと、枢軸端に捩じ込まれるナット１４とにより挟み込まれた状態で枢軸１３に回転自在に軸着され、しかも第１の刃体１１と第２の刃体１２の内側の枢軸１３の周りの対向面にはそれぞれ凹溝１５及び１６が形成されている。そして鍔１７ａ付きの断面Ｔ形をなすブッシュ１７が前記枢軸１３に回転自在に嵌挿されると共に、鍔部１７ａが第１の刃体１１の凹溝１５に装着されている。この鍔部１７ａは円形で、同じ円形断面の凹溝１５に回転可能に装着されていてもよいが、好ましくは例えば円の一部をセグメント状に切り欠いたり、多角形にして、同形の凹溝１５に回転不可に装着される。
【００１１】
第２の刃体１２の凹溝１６に装着され、ブッシュ１７に嵌挿される転がり軸受１８はアウターレース１９が前記凹溝１６に密嵌されて第２の刃体１２に固定状態で回転不可に取付けられる一方、インナーレース２０がブッシュ１７に密嵌されてブッシュ１７に固定状態で回転不可に取付けられている。
【００１２】
枢軸１３の指環部側における第１の刃体１１には外側から調節ネジ２２が捩じ込まれ、凹溝１５内に突出する先端はブッシュ１７の鍔部１７ａに押し当てられ、鍔部１７ａに押し当った状態で捩じ込むと、第１の刃体１１は指環部側が第２の刃体１２の指環部側より浮き上がり、かつ刃先側が閉じて刃先同士が互いに押付けられるようになっており、その押付け力は調節ネジ２２の捩じ込み操作によって調整できるようになっている。
【００１３】
本実施形態においてはまた、第１の刃体１１の凹溝１５の深さをｈ１、第２の刃体１２の凹溝１６の深さをｈ２、鍔部１７ａを含むブッシュ１７の全長をｈとすると、ｈ＞ｈ１＋ｈ２となるように形成されており、鍔部１７ａが第１の刃体１１の凹溝底に当り、かつ図２に示すブッシュ下端が第２の刃体１２の凹溝１６底に当たって支持された状態において、第１の刃体１１と第２の刃体１２との間には、ｈ−（ｈ１＋ｈ２）の隙間が形成され、調節ネジ２２を捩じ込んで、図示するように第１の刃体１１を第２の刃体１２より浮かせると、上記隙間が更に拡大するようになっている。なお、図示する例において、転がり軸受１８は軸方向の長さが鍔部１７ａを除くブッシュ１７と同じ長さに形成されているが、同じでなく、長く形成されていても短く形成されていてもよい。長く形成される場合、ブッシュ１７は転がり軸受１８と調節ネジ２２とによって支持されて軸方向の動きが拘束される。一方短く形成される場合、ブッシュ１７が第２の刃体１２の凹溝底と調節ネジ２２とによって支持されて軸方向の動きが拘束される。
【００１４】
本実施形態によると、第１の刃体１１と第２の刃体１２は枢軸１３の周りで常に離間した状態となり（刃先同士は調節ネジ２２の捩じ込みにより第１の刃体１１が第２の刃体１２に対し傾き、閉じることによって接触状態となっている）、このため第１の刃体１１と第２の刃体１２は刃先同士が押付けられた状態で鋏捌きにより触点がない状態で軽快に開閉する。
【００１５】
本実施形態において、ブッシュ１７は鍔部１７ａが円形で、同じ円形の凹溝１５に装着されていても、調節ネジ２２で鍔部１７ａが押付けられることにより第１の刃体１１に対し回転されることはなく、ブッシュ１７と第１の刃体１１とインナーレース２０とが一体となって、アウターレース１９と一体をなす第２の刃体１２に対し、枢軸１３の周りを回動する。
【００１６】
本実施形態においては、ブッシュ１７の全長ｈと、第１の刃体１１の凹溝１５の深さｈと、第２の刃体１２の凹溝１６の深さｈ２とがｈ＞ｈ１＋ｈ２となるように形成されているが、ｈ≦ｈ１＋ｈ２となるように形成され、第１の刃体１１と第２の刃体１２が枢軸１３の周りで接触するようになっているとしても（この場合、第１の刃体１１の凹溝底と鍔部１７ａは接するか、或いは隙間ができるが、先端を鍔部１７ａに押し当てた状態で調節ネジ２２を捩じ込むことにより第１の刃体１１を第２の刃体１２より離間させることができる。したがって上記式ｈ＞ｈ１＋ｈ２は本発明の必須の要件ではない。
【００１７】
別の実施形態においてはブッシュの鍔部が指環部側に長く延びて形成される。図３はその一例を示すもので、ブッシュの鍔部２５ａが指環部側に長く延びて形成されている。
【００１８】
図４は、図３に示す鍔部２５ａを備えたブッシュ２５を取付けた枢軸構造を示すもので、第１の刃体１１の凹溝２６は鍔部２５ａと同形をなして指環部側に長く形成され、鍔部２５ａが凹部２６に回転不可に装着されるようになっており、調節ネジ２２が図１に示す調節ネジ２２よりも枢軸１３から離れた箇所で鍔部２５ａに押し当てられるようになっている。
【００１９】
本実施形態によると、調節ネジ２２により鍔部２５ａに作用する力点ａにおける作用力が小さくても、てこの作用で刃先印同士の押付け力を大きくすることができ、したがって調節ネジ２２を微調整することで、刃先部同士の押付け力を調整し、切れ味を調整することができる。
【符号の説明】
【００２０】
１１・・第１の刃体
１２・・第２の刃体
１３・・枢軸
１５、１６、２６・・凹溝
１７、２５・・ブッシュ
１７ａ、２５ａ・・鍔部
１８・・転がり軸受
２２・・調節ネジ
【図１】
2012130493.tif 000003
【図２】
2012130493.tif 000004
【図３】
2012130493.tif 000005
【図４】
2012130493.tif 000006